(57)【要約】【課題】樹脂製のカバー部と金属製の取付金具との間から湯が漏れても上記取付金具に取り付けられた電機部品の短絡を防止する。【解決手段】サーミスタ４２とサーモスタット４３とを取り付けた凹形の取付金具４０には、水平方向のフランジ４４と、フランジ４４の先端部を上方に折り曲げたリブ４５とを設ける。そして、取付金具４０を、ポット３２のカバー部３３に設けた取付開口３８に、金属の環状部材４６を挟んで上側から装着し、環状部材４６のフランジと取付金具４０のフランジ４４とを重ねて、ビス４７でカバー部３３に取り付ける。こうして、樹脂製のカバー部３３と金属製の環状部材４６との隙間からポット３２内の湯が漏れても、取付面であるフランジ４４より高く延在するリブ４５で堰き止め、凹部を成す取付金具４０内に流れ込むのを防止する。その結果、取付金具４０の底部に取り付けられたサーモスタット４３が短絡するのを防止できる。【選択図】図１
2010286184.tif 000002
【特許請求の範囲】
【請求項１】
上部に開口を有して水を溜めるポットと、
上記ポット内に設置されると共に、上記ポット内の水を加熱する蒸気発生用ヒータと、
商用電圧で動作すると共に、上記ポット内の水の温度が予め設定された設定異常温度になったことを検知して、上記蒸気発生用ヒータの電源を遮断する高温安全遮断装置と、
上記ポットの上記開口を塞ぐと共に、上記高温安全遮断装置を取り付けるための取付開口が設けられたカバー部と、
金属で略凹形に形成されると共に、底部に上記高温安全遮断装置が取り付けられて、上記カバー部の上記取付開口に外側から装着される取付金具と
を備え、
上記取付金具は、
凹形を成す本体と、この本体における環状の縁から径方向外側に向かって延在するフランジと、このフランジの先端側から上記底部側とは反対側に突出して延在するリブとを含み、
上記フランジが上記カバー部の表面における上記取付開口の周囲に取り付けられることによって上記取付開口に装着される
ことを特徴とする蒸気発生装置の安全構造。
【請求項２】
請求項１に記載の蒸気発生装置の安全構造において、
上記取付金具の底部には、上記高温安全遮断装置に加えて、上記ポット内の水の温度が上記設定異常温度よりも低く予め設定された設定温度になったことを検知して上記蒸気発生用ヒータをオフするための水温検知装置が取り付けられている
ことを特徴とする蒸気発生装置の安全構造。
【請求項３】
請求項１あるいは請求項２に記載の蒸気発生装置の安全構造において、
金属で形成されると共に、上記取付金具が装着される筒状の本体と、この本体における環状の縁から径方向外側に向かって延在するフランジと、このフランジの先端側から上記本体側に突出して延在するリブとを含み、上記取付開口に外側から装着される環状部材を備え、
上記カバー部の表面における上記取付開口の周囲には、上記取付開口に外側から装着された上記環状部材の上記リブが挿入される溝が形成されており、
上記取付金具は、上記取付開口に装着されている上記環状部材に外側から装着されて、上記取付金具のフランジを上記環状部材のフランジを介して上記カバー部の表面に取り付けることによって、上記取付開口に装着される
ことを特徴とする蒸気発生装置の安全構造。
【発明の詳細な説明】
【技術分野】
【０００１】
この発明は、蒸気発生装置の安全構造に関する。
【背景技術】
【０００２】
蒸気発生装置として、特開平１０‐２８７１２３号公報(特許文献１)に開示された自動車用空調制御装置の温水加熱器がある。この温水加熱器は、図３に示すように、温水を所定量蓄える温水タンク１と、温水タンク１の内の温水を加熱する電気ヒータ２とを有している。ここで、電気ヒータ２は通電することによって電気ヒータ２内部のニクロム線等からなる発熱体が発熱し、この熱によって温水を加熱する。通常、温水の水量は、温水タンク１内で電気ヒータ２の発熱部が温水中にあるように保たれている。温水タンク１の水位は、サーミスタ３によって検出される。サーミスタ３は、サーミスタケース４内に収納され、サーミスタケース４は温水タンク１上面に温水が侵入しないように密閉して取り付けられ、リード線５の引き出し部が温水タンク１の外側に配置されている。
【０００３】
温水の水位は正常時には温水タンク１内の水位Ａにあり、サーミスタケース４は温水中にある。そして、水位が低下し、サーミスタケース４の露出度が増加するに従いサーミスタ３の温度が上昇し、１１０℃以上になると電気ヒータ２への通電を遮断するようになっている。尚、６は、ポンプである。
【０００４】
また、従来の技術ではないが、上記水位検出装置としてのサーミスタに加えて、バイメタル機構等を用いて水温が設定温度以上になると電気ヒータの電源を遮断する高温安全遮断装置としてのサーモスタットを備えた蒸気発生装置がある。図４は、上記サーミスタと上記サーモスタットとを備えた蒸気発生装置の斜視図である。また、図５は、図４におけるＡ‐Ａ'矢視断面図である。
【０００５】
図４および図５において、蒸気発生装置１１は、鍋状に形成されて水を溜めるポット１２と、ポット１２上部の開口をカバーするカバー部１３とを有し、ポット１２の周囲に形成されたフランジ部１２aとカバー部１３の周囲に形成されたフランジ部１３aとを、ビス１４で締め付け固定することによって、ポット１２内の水が外部に漏れないようにしている。
【０００６】
上記ポット１２内には、金属パイプ中にコイル状の発熱線を封入してなるシーズヒータ１５を渦巻状に設置し、シーズヒータ１５の両端部１５a,１５bをカバー部１３に設けられた挿通穴１６から外部に露出させている。挿通穴１６におけるシーズヒータ１５の両端部１５a,１５bの周囲は、蓋部材１７によって内側から閉鎖されている。
【０００７】
上記カバー部１３には、挿通穴１６と並んで取付開口１８が設けられている。この取付開口１８の周囲には、金属で凹形(桶状)に形成されると共に、底部にサーミスタ１９とサーモスタット２０とが取り付けられた取付金具２１のフランジが、サーミスタ１９とサーモスタット２０との上側(端子側)が取付開口１８から外部に露出するように、内側からビス２２によって取り付け固定されている。
【０００８】
上記サーモスタット２０の端子２０a,２０bには、商用１００Ｖの交流電源が接続されており、ポット１２内の水温が設定異常温度以上になるとシーズヒータ１５の電源を遮断するようになっている。
【０００９】
しかしながら、図４および図５に示すようなサーミスタ１９とサーモスタット２０とを備えた蒸気発生装置においては、以下のような問題がある。
【００１０】
すなわち、上記カバー部１３は、発生した蒸気を必要箇所に供給するための筒状の蒸気供給通路２３等と共に、樹脂によるモールド成型によって形成されている。また、上記高温安全遮断装置としてのサーモスタット２０は、異常発熱を確実に検知できるようにシーズヒータ１５の近傍に設置されている。したがって、樹脂製のカバー部１３に対して、サーミスタ１９およびサーモスタット２０が取り付けられた金属製の取付金具２１が、当初はビス２２によって密着して取り付けられている。しかしながら、シーズヒータ１５からの熱が取付金具２１を介してカバー部１３に伝達されるため経年変化によってカバー部１３における取付開口１８の周囲に歪みが生じ、樹脂製のカバー部１３と金属製の取付金具２１の上記フランジとの間には隙間が生ずる可能性がある。その場合には、沸騰した湯が上記隙間から漏れて、全体がカバー部１３の下側に位置して凹部を有する取付金具２１内に流れ込み、１００Ｖの交流電圧で動作するサーモスタット２０が短絡して火災等に至る可能性がある。
【先行技術文献】
【特許文献】
【００１１】
【特許文献１】特開平１０‐２８７１２３号公報
【発明の概要】
【発明が解決しようとする課題】
【００１２】
そこで、この発明の課題は、樹脂製のカバー部と金属製の取付金具との間から湯が漏れても上記取付金具に取り付けられた電機部品が短絡するのを防止できる蒸気発生装置の安全構造を提供することにある。
【課題を解決するための手段】
【００１３】
上記課題を解決するため、この発明の蒸気発生装置の安全構造は、
上部に開口を有して水を溜めるポットと、
上記ポット内に設置されると共に、上記ポット内の水を加熱する蒸気発生用ヒータと、
商用電圧で動作すると共に、上記ポット内の水の温度が予め設定された設定異常温度になったことを検知して、上記蒸気発生用ヒータの電源を遮断する高温安全遮断装置と、
上記ポットの上記開口を塞ぐと共に、上記高温安全遮断装置を取り付けるための取付開口が設けられたカバー部と、
金属で略凹形に形成されると共に、底部に上記高温安全遮断装置が取り付けられて、上記カバー部の上記取付開口に外側から装着される取付金具と
を備え、
上記取付金具は、
凹形を成す本体と、この本体における環状の縁から径方向外側に向かって延在するフランジと、このフランジの先端側から上記底部側とは反対側に突出して延在するリブとを含み、
上記フランジが上記カバー部の表面における上記取付開口の周囲に取り付けられることによって上記取付開口に装着される
ことを特徴としている。
【００１４】
上記構成によれば、金属で略凹形に形成されると共に、底部に高温安全遮断装置が取り付けられた取付金具が、水を溜めるポットの開口を塞ぐカバー部の取付開口に外側(上側)から装着され、上記取付金具のフランジが上記カバー部の表面における上記取付開口の周囲に取り付けられて、上記高温安全遮断装置が上記カバー部に取り付けられる。
【００１５】
その場合、上記カバー部が樹脂製であって、蒸気発生用ヒータから上記取付金具を介して上記カバー部に伝達された熱による経年変化によって上記カバー部における上記取付開口の周囲に歪みが生じ、樹脂製の上記カバー部と金属製の上記取付金具の上記フランジとの間に隙間が生じて、この隙間から上記ポット内の湯が漏れたとしても、上記カバー部への取付面である上記フランジの先端側から上記底部側とは反対側に突出して延在して先端が上記取付面よりも高い位置にあるリブによって、上記取付金具内に流れ込もうとする湯が堰き止められる。したがって、漏れた湯が略凹形の上記取付金具内に流れ込むことを防止でき、上記取付金具の底部に取り付けられた商用電圧で動作する高温安全遮断装置が短絡して火災等に至ることを防止できる。
【００１６】
また、この発明の蒸気発生装置の安全構造は、
上記取付金具の底部には、上記高温安全遮断装置に加えて、上記ポット内の水の温度が上記設定異常温度よりも低く予め設定された設定温度になったことを検知して上記蒸気発生用ヒータをオフするための水温検知装置が取り付けられている。
【００１７】
この実施の形態によれば、樹脂製の上記カバー部と金属製の上記取付金具との間に隙間が生じて、この隙間から上記ポット内の湯が漏れたとしても、漏れた湯が凹形の上記取付金具内に流れ込むことを防止できる。したがって、上記高温安全遮断装置に加えて、上記取付金具の底部に取り付けられた水温検知装置が短絡して動作不能になるのを防止することができる。
【００１８】
また、この発明の蒸気発生装置の安全構造は、
金属で形成されると共に、上記取付金具が装着される筒状の本体と、この本体における環状の縁から径方向外側に向かって延在するフランジと、このフランジの先端側から上記本体側に突出して延在するリブとを含み、上記取付開口に外側から装着される環状部材を備え、
上記カバー部の表面における上記取付開口の周囲には、上記取付開口に外側から装着された上記環状部材の上記リブが挿入される溝が形成されており、
上記取付金具は、上記取付開口に装着されている上記環状部材に外側から装着されて、上記取付金具のフランジを上記環状部材のフランジを介して上記カバー部の表面に取り付けることによって、上記取付開口に装着される。
【００１９】
この実施の形態によれば、上記取付金具と上記カバー部との間に、金属製の環状部材を介在させている。したがって、上記蒸気発生用ヒータから上記取付金具を介して上記カバー部に伝わる熱の一部を金属製の上記環状部材で分散させることができる。こうして、上記カバー部の温度上昇を抑制して、上記カバー部における上記取付開口の周囲に生ずる歪みを抑制することができる。
【００２０】
さらに、上記環状部材における上記フランジの先端側から上記本体側に突出して延在するリブを設けて、上記環状部材を上記取付開口に外側から装着した際に、上記リブを上記カバー部の表面における上記取付開口の周囲に形成された溝に挿入するようにしている。したがって、上記カバー部における上記取付開口の周囲に生ずる歪みが僅かである場合には、上記環状部材の上記リブが上記カバー部から離間しないようにできる。その結果、歪みが僅かである場合に、上記ポット内の湯が上記環状部材の上記フランジと上記カバー部との間から漏れることを防止できる。
【発明の効果】
【００２１】
以上より明らかなように、この発明の蒸気発生装置の安全構造は、金属で略凹形に形成されると共に、底部に高温安全遮断装置が取り付けられた取付金具を、水を溜めるポットの開口を塞ぐカバー部の取付開口に外側から装着し、上記取付金具のフランジを上記カバー部の表面における上記取付開口の周囲に取り付けることによって、上記高温安全遮断装置を上記カバー部に取り付けるので、上記カバー部が樹脂製であり、上記カバー部における上記取付開口の周囲に歪みが生じて樹脂製の上記カバー部と金属製の上記取付金具の上記フランジとの間に隙間が生じ、この隙間から上記ポット内の湯が漏れたとしても、上記カバー部への取付面である上記フランジの先端側から上記底部側とは反対側に突出して延在するリブによって、上記取付金具内に流れ込もうとする湯を堰き止めることができる。
【００２２】
したがって、漏れた湯が略凹形の上記取付金具内に流れ込むことを防止でき、上記取付金具の底面に取り付けられた商用電圧で動作する高温安全遮断装置が短絡して火災等に至ることを防止できる。
【図面の簡単な説明】
【００２３】
【図１】この発明の蒸気発生装置の安全構造における外観斜視図である。
【図２】図１におけるＢ‐Ｂ'矢視断面図である。
【図３】従来の自動車用空調制御装置の温水加熱器の構成図である。
【図４】サーミスタとサーモスタットとを備えた蒸気発生装置の斜視図である。
【図５】図４におけるＡ‐Ａ'矢視断面図である。
【発明を実施するための形態】
【００２４】
以下、この発明を図示の実施の形態により詳細に説明する。図１は、本実施の形態の蒸気発生装置の安全構造における外観斜視図である。また、図２は、図１におけるＢ‐Ｂ'矢視断面図である。
【００２５】
図１および図２に示すように、本実施の形態の蒸気発生装置３１におけるポット３２,カバー部３３,フランジ部３２a,フランジ部３３a,ビス３４,シーズヒータ３５,シーズヒータの端部３５a,３５b,挿通穴３６,蓋部材３７,取付開口３８および蒸気供給通路３９は、図４および図５に示す蒸気発生装置１１におけるポット１２,カバー部１３,フランジ部１２a,フランジ部１３a,ビス１４,シーズヒータ１５,シーズヒータの端部１５a,１５b,挿通穴１６,蓋部材１７,取付開口１８および蒸気供給通路２３と同じ構成を有しているので、詳細な説明は省略する。
【００２６】
上記カバー部３３に設けられた取付開口３８には、金属によって凹形(桶状)に形成されると共に、２段に形成された底部の上段(上段底部)４１aにはサーミスタ４２が取り付けられる一方、下段(下段底部)４１bにはサーモスタット４３が取り付けられた取付金具４０が装着されて固定されている。こうして、サーミスタ４２とサーモスタット４３とが、その端子側を取付開口３８から外部に露出させてカバー部３３に取り付けられる。
【００２７】
上記サーモスタット４３の端子４３a,４３bには、商用１００Ｖの交流電源が接続されて、ポット３２内の水温が予め設定された設定異常温度以上になるとシーズヒータ３５の電源を遮断するようになっている。
【００２８】
本実施の形態における上記取付金具４０には、凹形(桶状)を成す本体における環状の縁から径方向外側に向かって延在するフランジ４４が設けられており、フランジ４４の先端部は上記底部側とは反対側(上側)に略直角に折り曲げられてリブ４５を構成している。
【００２９】
上記構成を有する取付金具４０を取付開口３８に装着する場合には、以下のようにして行う。先ず、取付開口３８の内周と同じ形状の外周を有する筒状の本体と、この本体における環状の縁から径方向外側に向かって延在してフランジ４４と略同じ形状を有するフランジと、このフランジの先端部を上記本体側に略直角に折り曲げて成るリブと、を有する金属の環状部材４６を、取付開口３８に外側(上側)から装着する。その場合、環状部材４６の上記リブを、カバー部３３の表面における取付開口３８の周囲に形成された溝内に圧入して、環状部材４６の上記フランジをカバー部３３に密着させる。そして、環状部材４６内に取付金具４０を外側(上側)から装着し、環状部材４６の上記フランジと取付金具４０のフランジ４４と重ね合わせて、スタッドビス４７でカバー部３３に取り付け固定するのである。
【００３０】
こうして、上記取付金具４０とカバー部３３との間に、金属製の環状部材４６を挟み込むようにしている。したがって、上記高温安全遮断装置としてのサーモスタット４３が異常発熱を確実に検知できるように、取付金具４０の下段底部４１bがシーズヒータ３５の近傍に配置されていても、シーズヒータ３５から取付金具４０を介して樹脂製のカバー部３３に伝わる熱の一部を金属製の環状部材４６で分散させることができ、カバー部３３の温度上昇を抑制することができる。
【００３１】
さらに、上記シーズヒータ３５の下部および周囲を金属板４８a,４８bで囲っている。こうすることによって、シーズヒータ３５から樹脂製のカバー部３３に伝わる熱の一部を金属製の金属板４８a,４８bで分散させることができ、カバー部３３の温度上昇を抑制することができる。こうして、シーズヒータ３５からの熱によって樹脂製のカバー部３３が変形することがないようにしている。
【００３２】
上述したように上記カバー部３３が変形し難いように構成しているにも拘わらず、シーズヒータ３５から取付金具４０を介してカバー部３３に伝達された熱による経年変化によってカバー部３３における取付開口３８の周囲に歪みが生じ、樹脂製のカバー部３３と金属製の環状部材４６の上記フランジとの間に隙間が生ずる場合がある。しかしながら、本実施の形態においては、環状部材４６のフランジの先端部を上記本体側(下側)に略直角に折り曲げて成る上記リブを、カバー部３３の表面における取付開口３８の周囲に形成された溝内に圧入している。そのために、カバー部３３と環状部材４６の上記フランジとの間に生じた隙間が小さく、まだ上記リブが上記溝内に差し込まれている場合には、ポット３２内で沸騰した湯が上記隙間からカバー部３３の表面に漏れることが防止される。
【００３３】
さらに、上記カバー部３３における取付開口３８の周囲に生ずる歪みが大きくなり、環状部材４６の上記リブがカバー部３３の上記溝から抜けた場合であっても、本実施の形態においては、周囲に径方向外側に向かって延在するフランジ４４が設けられた取付金具４０を、取付開口３８に外側(上側)から装着するようにしている。したがって、カバー部３３と環状部材４６との隙間から漏れたポット３２内の湯は、図４および図５に示す蒸気発生装置１１の場合のように、取付金具４０のフランジをカバー部３３に内側(下側)から取り付ける場合に比して、フランジ４４をオーバーフローして取付金具４０内に流れ込むことを抑制することができる。
【００３４】
さらに、本実施の形態においては、上記フランジ４４の先端部を上記底部側とは反対側に略直角に折り曲げて、リブ４５を形成している。つまり、リブ４５の先端は、取付金具４０の取付面であるフランジ４４よりも高い位置にある。したがって、カバー部３３と環状部材４６の上記フランジとの隙間からポット３２内の湯が多く漏れても、上記取付面よりも高い位置まで延在しているリブ４５によって堰き止められるので、凹部を有する取付金具４０内に流れ込むことを、より積極的に防止することができる。その結果、下段底部４１bに取り付けられた１００Ｖの交流電圧で動作するサーモスタット４３が短絡して火災等に至ることを防止できるのである。
【００３５】
尚、上記実施の形態においては、上記取付金具４０のリブ４５を、フランジ４４の先端部を折り曲げて形成している。また、環状部材４６の上記リブを、上記フランジの先端部を折り曲げて形成している。しかしながら、この発明はこれに限定されるものではなく、フランジ４４の先端に、別体に形成されたリブ４５を取り付けても構わない。また、上記フランジの先端に、別体に形成された上記リブを取り付けても構わない。
【符号の説明】
【００３６】
３１…蒸気発生装置、
３２…ポット、
３３…カバー部、
３２a,３３a…フランジ部、
３４…ビス、
３５…シーズヒータ、
３５a,３５b…シーズヒータの端部、
３６…挿通穴、
３７…蓋部材、
３８…取付開口、
３９…蒸気供給通路、
４０…取付金具、
４２…サーミスタ、
４３…サーモスタット、
４４…フランジ、
４５…リブ、
４６…環状部材、
４７…スタッドビス、
４８a,４８b…金属板。
【図１】
2010286184.tif 000003
【図２】
2010286184.tif 000004
【図３】
2010286184.tif 000005
【図４】
2010286184.tif 000006
【図５】
2010286184.tif 000007